【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
置換用心臓弁のための薄型シール材であって、
先端部と基端部とそれらの間のルーメンとを有する多層で略円筒形のシール材本体と、
前記シール材本体の基端部の付近に配置かつ分散された複数の補強用グロメットと、
前記シール材本体の先端部の付近に配置された先端側補強帯と、
を含み、
前記シール材本体の基端部は、交互の複数の突起と凹部を含む薄型シール材。
【請求項２】
前記複数の補強用グロメットの少なくともいくつかが、前記多層で略円筒形のシール材本体の基端部の複数の突起の内部に設置される、請求項１に記載の薄型シール材。
【請求項３】
前記複数の補強用グロメットの少なくともいくつかが、前記多層で略円筒形のシール材本体の内部かつその基端部の凹部の付近に設置される、請求項１に記載の薄型シール材。
【請求項４】
前記複数の補強用グロメットの少なくともいくつかが、前記多層で略円筒形のシール材本体の内部、かつ、その基端部の複数の突起の先端側および凹部の先端側に設置される、請求項１に記載の薄型シール材。
【請求項５】
前記複数の補強用グロメットが１つまたは複数の打ち抜き穴を含み、前記１つまたは複数の打ち抜き穴が、前記複数の補強用グロメットと前記多層で略円筒形のシール材本体の両方を貫通する、請求項１に記載の薄型シール材。
【請求項６】
前記先端側補強帯が複数の打ち抜き穴を含み、前記複数の打ち抜き穴が、前記先端側補強帯と前記多層で略円筒形のシール材本体の両方を貫通する、請求項１に記載の薄型シール材。
【請求項７】
前記多層で略円筒形のシール材本体が、ポリカーボネートとポリウレタンを含む、半径方向に最も内側の層を含む、請求項１〜６のいずれか１項に記載の薄型シール材。
【請求項８】
前記多層で略円筒形のシール材本体が、ポリカーボネートとポリウレタンを含む、半径方向に最も外側の層をさらに含む、請求項１〜７のいずれか１項に記載の薄型シール材。
【請求項９】
前記多層で略円筒形のシール材本体が、半径方向に最も外側の層と半径方向に最も内側の層との間に配置された少なくとも１つの内層を含む、請求項１〜８のいずれか１項に記載の薄型シール材。
【請求項１０】
前記半径方向に最も外側の層と前記半径方向に最も内側の層との間に配置された前記少なくとも１つの内層の弾性係数が、前記半径方向に最も内側の層の弾性係数より小さく、前記半径方向に最も外側の層の弾性係数より小さい、請求項９に記載の薄型シール材。
【請求項１１】
前記半径方向に最も外側の層と前記半径方向に最も内側の層との間に配置された前記少なくとも１つの内層の破断点伸度が、前記半径方向に最も内側の層の破断点伸度より大きく、前記半径方向に最も外側の層の破断点伸度より大きい、請求項９または１０に記載の薄型シール材。
【請求項１２】
前記複数の補強用グロメットが織布を含む、請求項１〜１１のいずれか１項に記載の薄型シール材。
【請求項１３】
前記先端側補強帯が織布を含む、請求項１〜１２のいずれか１項に記載の薄型シール材。
【請求項１４】
置換用心臓弁のための薄型シール材を形成する方法であって、
洗浄した先細のシール材形成用心棒をコーティング装置内に位置付けるステップと、
キャリアと少なくとも１種のポリマを含む第一のコーティング組成物を前記洗浄した先細の心棒に塗布するステップと、
前記第一のコーティング組成物から前記キャリアを取り除くことによって第一のコーティング済み心棒を形成するステップと、
前記第一のコーティング済み心棒を取り囲むように先端側補強帯を位置付けるステップと、
前記第一のコーティング済み心棒に複数のグロメットを位置付けるステップと、
キャリアと少なくとも１種のポリマを含む第二のコーティング組成物を前記第一のコーティング済み心棒、前記先端側補強帯および前記複数のグロメットに塗布するステップと、
前記第二のコーティング組成物から前記キャリアを取り除くことによって第二のコーティング済み心棒を形成するステップと、
キャリアと少なくとも１種のポリマを含む第三のコーティング組成物を前記第二のコーティング済み心棒に塗布するステップと、
前記第三のコーティング組成物から前記キャリアを取り除くことによって薄型シール材の前駆体を形成するステップと、
前記薄型シール材の前駆体が完全に形成され、厚さ仕様を満たすことを確認するステップと、
前記薄型シール材の前駆体のトリミングを行って、寸法仕様を満たすステップと、
前記先細のシール形成用心棒から前記薄型シール材を取り外すステップと、
を含む方法。
【請求項１５】
前記コーティング装置がスプレイコーティング装置である、請求項１４に記載の方法。
【請求項１６】
前記第一のコーティング組成物がポリカーボネートとポリウレタンを含む、請求項１４または１５に記載の方法。
【請求項１７】
前記第二のコーティング組成物がポリカーボネートとポリウレタンを含む、請求項１４〜１６のいずれか１項に記載の方法。
【請求項１８】
前記第三のコーティング組成物がポリカーボネートとポリウレタンを含む、請求項１４〜１７のいずれか１項に記載の方法。
【請求項１９】
前記第一のコーティング組成物が前記第二のコーティング組成物と異なる、請求項１４〜１８のいずれか１項に記載の方法。
【請求項２０】
前記第二のコーティング組成物が前記第三のコーティング組成物と異なる、請求項１４〜１９のいずれか１項に記載の方法。
【請求項２１】
前記第一のコーティング組成物と前記第三のコーティング組成物が同じである、請求項１４〜２０のいずれか１項に記載の方法。
【請求項２２】
前記第一のコーティング組成物と前記第三のコーティング組成物が異なる、請求項１４〜２０のいずれか１項に記載の方法。
【請求項２３】
前記第二のコーティング済み心棒を取り囲むように位置付けられた前記先端側補強帯が布帯である、請求項１４〜２２のいずれか１項に記載の方法。
【請求項２４】
前記第二のコーティング済み心棒を取り囲むように位置付けられた前記先端側補強帯が織布帯である、請求項２３に記載の方法。
【請求項２５】
前記第二のコーティング済み心棒を取り囲むように位置付けられた前記先端側補強帯がポリエステル繊維を含む、請求項２３または２４に記載の方法。
【請求項２６】
前記複数のグロメットが布グロメットを含む、請求項１４〜２５のいずれか１項に記載の方法。
【請求項２７】
前記複数のグロメットが織布グロメットを含む、請求項１４〜２６のいずれか１項に記載の方法。
【請求項２８】
前記複数のグロメットがポリエステル繊維を含む、請求項１４〜２７のいずれか１項に記載の方法。
【請求項２９】
前記第二のコーティング済み心棒を取り囲むように帯を位置付けるステップが、前記帯を前記第二のコーティング済み心棒に接着するステップを含む、請求項１４〜２８のいずれか１項に記載の方法。
【請求項３０】
前記第二のコーティング済み心棒に複数のグロメットを位置付けるステップが、前記複数のグロメットを前記第二のコーティング済み心棒に接着するステップを含む、請求項１４〜２９のいずれか１項に記載の方法。
【請求項３１】
前記先細のシール材形成用心棒が凹凸の付いた心棒である、請求項１４〜３０のいずれか１項に記載の方法。
【手続補正２】
【補正対象書類名】明細書
【補正対象項目名】発明の名称
【補正方法】変更
【補正の内容】
【発明の名称】置換用心臓弁のための薄型シール材およびその形成方法